(57)【要約】【課題】印刷できない記録媒体に誤って印刷してしまうことを防止できるようにする。【解決手段】ディスクドライブ１１０に装着されているディスクが両面記録ディスクであるか否かを判別し、さらに、プリンタブルであるか否かを判別する。そして、両面記録ディスクである場合は、装着されているディスクが両面記録ディスクである旨の警告画面を表示し、片面記録ディスクであるがディスクプリンタブルでない場合は、プリントできないディスクである旨の警告画面を表示する。さらに、レーベル印刷済みであるか否かを判別し、レーベル印刷済みである場合は、ディスクが既にレーベル印刷されている旨の警告画面を表示する。【選択図】図１
2009100038.tif 000002
【特許請求の範囲】
【請求項１】
プリンタと通信可能で、装着された記録媒体からデータを再生する再生装置であって、
前記装着された記録媒体が、印字可能な面を有する記録媒体であるか否かを判別する判別手段と、
前記判別手段による判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成手段と、
前記印刷データ生成手段によって生成された印刷データを前記プリンタに送信する送信手段とを有することを特徴とする再生装置。
【請求項２】
前記判別手段は、さらに前記印字可能な面が印刷されていない面であるか否かを判別し、
前記印刷データ生成手段は、前記判別手段による判別の結果、前記印字可能な面が印刷されていない面である場合に印刷データを生成することを特徴とする請求項１に記載の再生装置。
【請求項３】
前記判別手段は、前記記録媒体の印刷可否を示す個体識別情報を前記記録媒体から取得することによって判別を行うことを特徴とする請求項１または２に記載の再生装置。
【請求項４】
前記判別手段は、前記記録媒体の表面の材質または印刷状態を調査することによって判別を行うことを特徴とする請求項１または２に記載の再生装置。
【請求項５】
前記判別手段は、前記印字可能な面が印刷済みであるか否かを示すフラグを前記記録媒体から読み出すことによって判別を行うことを特徴とする請求項２に記載の再生装置。
【請求項６】
前記再生装置は、前記判別手段による判別の結果、前記装着された記録媒体が印字可能な面を有していない記録媒体である場合は、前記プリンタに印刷データを送信しないようにすることを特徴とする請求項１〜５の何れか１項に記載の再生装置。
【請求項７】
前記判別手段による判別の結果、前記装着された記録媒体が印字可能な面を有していない記録媒体である場合に、印刷ができないことを示す警告を表示部に表示する表示手段を有することを特徴とする請求項１〜６の何れか１項に記載の再生装置。
【請求項８】
前記判別手段による判別の結果、前記装着された記録媒体が印字可能な面を有していない記録媒体である場合に、前記印刷データ生成手段による生成処理を行うか否かを利用者に確認する確認手段を有することを特徴とする請求項１〜６の何れか１項に記載の再生装置。
【請求項９】
前記判別手段による判別の結果、前記装着された記録媒体が印字可能な面を有する記録媒体である場合に、前記装着された記録媒体からデータの再生が終了するまで、前記装着された記録媒体を取り出し可能な状態にすることを禁止する禁止手段を有することを特徴とする請求項１〜８の何れか１項に記載の再生装置。
【請求項１０】
装着された記録媒体が、印字可能な面を有する記録媒体であるか否かを判別する判別手段と、
前記判別手段による判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成手段と、
前記印刷データ生成手段によって生成された印刷データを前記記録媒体の印字可能な面に印刷する印刷手段とを有することを特徴とする印刷装置。
【請求項１１】
前記判別手段は、さらに前記印字可能な面が印刷されていない面であるか否かを判別し、
前記印刷データ生成手段は、前記判別手段による判別の結果、前記印字可能な面が印刷されていない面である場合に印刷データを生成することを特徴とする請求項１０に記載の印刷装置。
【請求項１２】
前記判別手段は、前記記録媒体の印刷可否を示す個体識別情報を前記記録媒体から取得することによって判別を行うことを特徴とする請求項１０または１１に記載の印刷装置。
【請求項１３】
前記判別手段は、前記記録媒体の表面の材質または印刷状態を調査することによって判別を行うことを特徴とする請求項１０または１１に記載の印刷装置。
【請求項１４】
前記判別手段は、前記印字可能な面が印刷済みであるか否かを示すフラグを前記記録媒体から読み出すことによって判別を行うことを特徴とする請求項１１に記載の印刷装置。
【請求項１５】
前記印刷データ生成手段は、前記判別手段による判別の結果、前記装着された記録媒体が印字可能な面を有していない記録媒体である場合は、印刷データを生成しないようにすることを特徴とする請求項１０〜１４の何れか１項に記載の印刷装置。
【請求項１６】
前記判別手段による判別の結果、前記装着された記録媒体が印字可能な面を有していない記録媒体である場合に、印刷ができないことを示す警告を表示部に表示する表示手段を有することを特徴とする請求項１０〜１５の何れか１項に記載の印刷装置。
【請求項１７】
前記判別手段による判別の結果、前記装着された記録媒体が印字可能な面を有していない記録媒体である場合に、前記印刷データ生成手段による生成処理を行うか否かを利用者に確認する確認手段を有することを特徴とする請求項１０〜１５の何れか１項に記載の印刷装置。
【請求項１８】
前記判別手段による判別の結果、前記装着された記録媒体が印字可能な面を有する記録媒体である場合に、前記印刷手段による印刷処理が終了するまで、前記装着された記録媒体を取り出し可能な状態にすることを禁止する禁止手段を有することを特徴とする請求項１０〜１７の何れか１項に記載の印刷装置。
【請求項１９】
プリンタと通信可能で、装着された記録媒体からデータを再生する撮像装置であって、
静止画像または動画像を撮像する撮像手段と、
前記撮像手段によって撮像された静止画像または動画像を前記記録媒体に記録する記録手段と、
前記装着された記録媒体が、印字可能な面を有する記録媒体であるか否かを判別する判別手段と、
前記判別手段による判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成手段と、
前記印刷データ生成手段によって生成された印刷データを前記プリンタに送信する送信手段とを有することを特徴とする撮像装置。
【請求項２０】
プリンタと通信可能で、装着された記録媒体からデータを再生する再生装置の制御方法であって、
前記装着された記録媒体が、印字可能な面を有する記録媒体であるか否かを判別する判別工程と、
前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、
前記印刷データ生成工程において生成した印刷データを前記プリンタに送信する送信工程とを有することを特徴とする再生装置の制御方法。
【請求項２１】
装着された記録媒体が、印字可能な面を有する記録媒体であるか否かを判別する判別工程と、
前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、
前記印刷データ生成工程において生成した印刷データを前記記録媒体の印字可能な面に印刷する印刷工程とを有することを特徴とする印刷装置の制御方法。
【請求項２２】
プリンタと通信可能で、装着された記録媒体からデータを再生する再生装置の制御方法の各工程をコンピュータに実行させるプログラムであって、
前記装着された記録媒体が、印字可能な面を有する記録媒体であるか否かを判別する判別工程と、
前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、
前記印刷データ生成工程において生成した印刷データを前記プリンタに送信する送信工程とをコンピュータに実行させることを特徴とするプログラム。
【請求項２３】
装着された記録媒体が、印字可能な面を有する記録媒体であるか否かを判別する判別工程と、
前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、
前記印刷データ生成工程において生成した印刷データを前記記録媒体の印字可能な面に印刷する印刷工程とをコンピュータに実行させることを特徴とするプログラム。
【請求項２４】
請求項２２または２３に記載のプログラムを記憶したことを特徴とするコンピュータ読み取り可能な記憶媒体。
【発明の詳細な説明】
【技術分野】
【０００１】
本発明は再生装置、印刷装置、撮像装置、再生装置の制御方法、印刷装置の制御方法、プログラム及び記憶媒体に関し、特に、レーベル印刷を行うために用いて好適な技術に関する。
【背景技術】
【０００２】
従来、デジタルカメラやデジタルビデオカメラとプリンタとを直接接続し、記録された静止画像を印刷するダイレクトプリント機能がすでに広く利用されている。一方、ＤＶＤビデオカメラやＤＶＤビデオレコーダでは、ディスクに記録した動画像や静止画像を元にそのディスクのレーベル画像を作成する機能を有しているものもある。そして、そのディスクへレーベル画像を印刷するダイレクトレーベルプリント機能も知られている（例えば、特許文献１または特許文献２参照）。
【０００３】
【特許文献１】特開２００２−２９２９３９号公報
【特許文献２】特開２００３−２１１７９３号公報
【発明の開示】
【発明が解決しようとする課題】
【０００４】
ところが、ＤＶＤビデオカメラやＤＶＤビデオレコーダなどの装置で利用される記録媒体は、記録媒体によって印刷できるものと印刷できないものとが存在する。例えばＤＶＤの場合、一般にプリンタブルディスクと呼ばれる無地のディスクであれば印刷できるが、プリンタブル（印刷可能）でないディスクや予めレーベル面に文字等が記載されているディスクには印刷することができない。さらには、より大容量なディスクとして、両面とも記録面になっておりレーベル面のないディスクも広く使用されている。前記特許文献１または特許文献２に記載の技術では、印刷できない記録媒体が再生装置に装着されている場合でも、印刷できるものと印刷できないものとを区別できなかった。このため、印刷することができない記録媒体に誤って印刷して、記録媒体や印刷装置が故障してしまう恐れがあるという問題点があった。
【０００５】
本発明は前述の問題点に鑑み、印刷できない記録媒体に誤って印刷してしまうことを防止できるようにすることを目的としている。
【課題を解決するための手段】
【０００６】
本発明の再生装置は、プリンタと通信可能で、装着された記録媒体からデータを再生する再生装置であって、前記装着された記録媒体が、印字可能な面を有する記録媒体であるか否かを判別する判別手段と、前記判別手段による判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成手段と、前記印刷データ生成手段によって生成された印刷データを前記プリンタに送信する送信手段とを有することを特徴とする。
【０００７】
本発明の印刷装置は、装着された記録媒体が、印字可能な面を有する記録媒体であるか否かを判別する判別手段と、前記判別手段による判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成手段と、前記印刷データ生成手段によって生成された印刷データを前記記録媒体の印字可能な面に印刷する印刷手段とを有することを特徴とする。
【０００８】
本発明の撮像装置は、プリンタと通信可能で、装着された記録媒体からデータを再生する撮像装置であって、静止画像または動画像を撮像する撮像手段と、前記撮像手段によって撮像された静止画像または動画像を前記記録媒体に記録する記録手段と、前記装着された記録媒体が、印字可能な面を有する記録媒体であるか否かを判別する判別手段と、前記判別手段による判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成手段と、前記印刷データ生成手段によって生成された印刷データを前記プリンタに送信する送信手段とを有することを特徴とする。
【０００９】
本発明の再生装置の制御方法は、プリンタと通信可能で、装着された記録媒体からデータを再生する再生装置の制御方法であって、前記装着された記録媒体が、印字可能な面を有する記録媒体であるか否かを判別する判別工程と、前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、前記印刷データ生成工程において生成した印刷データを前記プリンタに送信する送信工程とを有することを特徴とする。
【００１０】
本発明の印刷装置の制御方法は、装着された記録媒体が、印字可能な面を有する記録媒体であるか否かを判別する判別工程と、前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、前記印刷データ生成工程において生成した印刷データを前記記録媒体の印字可能な面に印刷する印刷工程とを有することを特徴とする。
【００１１】
本発明のプログラムは、プリンタと通信可能で、装着された記録媒体からデータを再生する再生装置の制御方法の各工程をコンピュータに実行させるプログラムであって、前記装着された記録媒体が、印字可能な面を有する記録媒体であるか否かを判別する判別工程と、前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、前記印刷データ生成工程において生成した印刷データを前記プリンタに送信する送信工程とをコンピュータに実行させることを特徴とする。
また、本発明のプログラムの他の特徴とするところは、装着された記録媒体が、印字可能な面を有する記録媒体であるか否かを判別する判別工程と、前記判別工程における判別の結果、前記装着された記録媒体が印字可能な面を有する記録媒体である場合に、前記装着された記録媒体に記録されているデータを再生して、前記記録媒体にレーベル印刷するための印刷データを生成する印刷データ生成工程と、前記印刷データ生成工程において生成した印刷データを前記記録媒体の印字可能な面に印刷する印刷工程とをコンピュータに実行させることを特徴とする。
【００１２】
本発明の記憶媒体は、前記の何れかに記載のプログラムを記憶したことを特徴とする。
【発明の効果】
【００１３】
本発明によれば、装着された記録媒体が、印字可能な面を有する記録媒体であるか否かを判別し、印字可能な面を有する記録媒体である場合に印刷データを生成してプリンタに送信するようにした。これにより、印刷できない記録媒体に誤って印刷してしまうことを防止することができるため、記録媒体や印刷装置が故障してしまうことを防止することができる。
【発明を実施するための最良の形態】
【００１４】
（第１の実施形態）
以下、本発明の実施形態について、図面を参照しながら説明する。本実施形態では、交換可能なディスクメディアに映像を記録するデジタルビデオカメラにおいて本発明を適用した例について説明する。
【００１５】
図１は、本実施形態のデジタルビデオカメラの構成例を示すブロック図である。本実施形態のデジタルビデオカメラ１００はプリンタ１０８と通信可能である。
図１において、映像データが記録されたディスクがディスクドライブ１１０に装着されると、ディスクＩ／Ｏ１０９に読み出された映像データはデコーダ１０１で展開され、ＲＡＭ１０４内のバッファ領域に格納される。なお、映像データ以外の付随情報については、ディスクＩ／Ｏ１０９からそのままＲＡＭ１０４へ格納される。
【００１６】
また、文字やイメージを画面に表示する場合は、FlashROM１０３に格納されたこれらのデータをマイコン１０２によりビットマップメモリ１０５に展開する。そして、ビットマップ回路１１２によって映像データの上に文字やイメージが重畳され、ＬＣＤ／ラインアウト１１３へ出力されることにより、表示部であるＬＣＤ１１７に表示される。
【００１７】
また、ＵＳＢ  Ｉ／Ｆ１０７を介して接続されたプリンタ１０８を用いてダイレクトレーベルプリントを行う場合は、以下のような手順で行う。まず、ＲＡＭ１０４上に格納された映像データ、及びFlashROM１０３に格納された文字やイメージのデータを元に、レーベル面のイメージをマイコン１０２により改めてＲＡＭ１０４上でレーベル画像データを構成する。そして、マイコン１０２が送信手段として機能し、このレーベル画像データをプリンタ１０８へ送信することによりプリンタ１０８側でレーベルプリントを行うことができる。このとき、利用者はディスクイジェクトスイッチ１１４を操作することにより、ディスクドライブ１１０からディスクを取り出してプリンタ１０８にセットする必要がある。
【００１８】
また、利用者の操作はキーＩ／Ｆ１０６を介して行われる。さらに、デジタルビデオカメラ１００は、カメラ部１１５及びエンコーダ１１６を備えている。撮影時は、カメラ部１１５から入力された映像データをエンコーダ１１６でエンコードし、ディスクＩ／Ｏ１０９を介してディスクドライブ１１０に装着されているディスクに記録する。
【００１９】
さらに、本実施形態では、ダイレクトレーベルプリントを行うときに、ディスクドライブ１１０に装着されたディスクが、レーベル印刷が可能であるか（印字可能であるか）どうかを判別する。判別方法としては以下の４つの方法を用いることができ、組み合わせによって様々な状態を判別することができる。
【００２０】
（１）ディスクに予め記録されている個体識別情報を用いて判別する。
（２）サーフェススキャナ１１１を用いてレーベル面の調査を行う。
（３）裏面用ピックアップを用いてレーベル面の調査を行う。
（４）ダイレクトレーベルプリントを実行する時に、プリント済みフラグをディスクに記録しておき、再度ダイレクトレーベルプリントを行う時には、このプリント済みフラグを確認する。
【００２１】
１番目の方法は、使用前の未使用ディスクに予め印刷可否の個体識別情報が記録されている場合に、この個体識別情報を取得することによって印刷可能か否か判別する方法である。ところが、この方法は、ディスクの規格に印刷可否の個体識別情報が定義されている場合にのみ実現可能となる。
【００２２】
例えばＤＶＤでは、片面が記録面であり、逆側の面がレーベル面である片面記録ディスクのほかに、両面が記録面になっていて２倍の記録容量を備えた両面記録ディスクも存在する。そこで、片面記録ディスクか両面記録ディスクかの個体識別情報がディスクに予め記録されている場合は、少なくとも両面記録ディスクにはレーベル印刷不可と判別することができる。
【００２３】
２番目の方法は、ディスクの表面調査専用のサーフェススキャナ１１１を用いて表面の材質や印刷状態を解析し、レーベル印刷が可能であるか否か判別する方法である。さらに、サーフェススキャナ１１１は、印刷状態を調査してレーベル印刷済みディスクであるか否かの調査も行うこともできる。
【００２４】
３番目の方法は、ディスクドライブ１１０が両面記録ディスクを裏返さずに使用するための裏面用ピックアップを備えている場合に、裏面用ピックアップでデータを書き込むことまたは読み出すことができるか否かによって印刷可否を判別する方法である。裏面用ピックアップでデータを書き込むことまたは読み出すことができれば、そのディスクは両面記録ディスクであるので、レーベル印刷不可と判別することができる。
【００２５】
４番目の方法は、ダイレクトレーベルプリントを実行するときに、プリント済みであることを示すフラグをディスクにデータとして記録しておき、フラグを判別する方法である。この方法を用いれば、誤ってもう一度レーベルプリントをしようとしたときには、そのフラグによってそのディスクがレーベル印刷済みであることを確認することができる。
【００２６】
次に、レーベル印刷できないディスクがディスクドライブ１１０に格納されているときに、レーベル印刷できないことを利用者に示す方法について説明する。図４は、本実施形態における警告表示の一例を示す図であり、図５は、本実施形態において、ダイレクトレーベルプリントを行うまでの処理手順の一例を示すフローチャートである。なお、図５に示す各ステップは、マイコン１０２の制御によって行われる。また、ディスクの状態に関わらずメニュー項目「レーベル印刷」を含むメニュー画面４０１が表示されるものとする。
【００２７】
まず、図５のステップＳ５０１において、利用者によりメニュー画面４０１で項目「レーベル印刷」が選択されることにより処理を開始する。次に、ステップＳ５０２において、ディスクドライブ１１０に装着されているディスクが両面記録ディスクであるか否かを、前述した（１）〜（３）のディスク判別方法のいずれかを用いて判別する。この判別の結果、両面記録ディスクである場合は、レーベル印刷できないため、ステップＳ５０３に進む。そして、装着されているディスクが両面記録ディスクである旨の警告画面（例えば、図４に示すような「両面記録ディスクです。レーベル印刷できません」という警告画面４０２）をＬＣＤ／ラインアウト１１３を介してＬＣＤ１１７に表示する。そして、ステップＳ５１３において、処理を終了する。
【００２８】
一方、ステップＳ５０２の判別の結果、両面記録ディスクでない場合は、ステップＳ５０４に進む。そして、プリンタブル（印刷可能）なディスクであるか否かを、前述した（１）または（２）のディスク判別方法を用いて判別する。この判別の結果、プリンタブルなディスクでない場合は、レーベル印刷できないため、ステップＳ５０５に進む。そして、プリントできないディスクである旨の警告画面（例えば、図４に示すような「プリンタブルディスクではありません。レーベル印刷できません」という警告画面４０３）をＬＣＤ／ラインアウト１１３を介してＬＣＤ１１７に表示する。そして、ステップＳ５１３において、処理を終了する。
【００２９】
一方、ステップＳ５０４の判別の結果、プリンタブルなディスクである場合は、ステップＳ５０６に進む。そして、ディスクがレーベル印刷済みであるか否かを、前述した（２）または（４）のディスク判別方法を用いて判別する。この判別の結果、レーベル印刷済みである場合は、レーベル印刷できないため、ステップＳ５０７に進む。そして、ディスクが既にレーベル印刷されている旨の警告画面（例えば、図４に示すような「レーベル印刷済みのディスクです」という警告画面４０４）をＬＣＤ／ラインアウト１１３を介してＬＣＤ１１７に表示する。そして、ステップＳ５１３において、処理を終了する。
【００３０】
一方、ステップＳ５０６の判別の結果、ディスクがレーベル印刷されていない場合は、このディスクはレーベル印刷が可能であるため、ステップＳ５０８に進む。そして、マイコン１０２は印刷データ生成手段として機能し、ディスクに記録されている映像データを元にレーベル用印刷データを作成してＲＡＭ１０４上に保存する。この時、例えば、図８に示すようなレーベル画像を印刷するための設定を、利用者の操作に応じてマイコン１０２が行う。次に、ステップＳ５０９において、ディスクをプリンタ１０８にセットすることを促す案内（例えば、「ディスクを取り出してプリンタにセットしてください」など）をＬＣＤ１１７に表示する。
【００３１】
次に、ステップＳ５１０において、利用者のキー操作によりレーベル用印刷データをプリンタ１０８へ転送することをキーＩ／Ｆ１０６を介して指示されたか否かを判断する。この判断の結果、レーベル用印刷データを転送することを指示されていない場合はそのまま待機し、レーベル用印刷データを転送することを指示された場合は、ステップＳ５１１に進む。
【００３２】
次に、ステップＳ５１１において、ＲＡＭ１０４上に保存されたレーベル用印刷データをＵＳＢ  Ｉ／Ｆ１０７を介してプリンタ１０８へ転送を開始する。そして、ステップＳ５１２において、レーベル用印刷データの転送が終了したか否かを判断する。この判断の結果、転送が終了していない場合は転送が終了するまで待機し、転送が終了した場合は、ステップＳ５１３において、処理を終了する。
【００３３】
これにより、ディスクドライブ１１０に装着されていたディスクを利用者がプリンタ１０８へセットしたときにレーベル用印刷データの転送が終わっている場合は、プリンタ１０８側でディスクのレーベル印刷を開始する。
【００３４】
以上のように本実施形態においては、ディスクドライブ１１０に装着されているディスクが両面記録ディスクであるか否かを判別し、さらに、プリンタブルであるか否かを判別する。そして、両面記録ディスクである場合は、装着されているディスクが両面記録ディスクである旨の警告画面を表示し、片面記録ディスクであるがディスクプリンタブルでない場合は、プリントできないディスクである旨の警告画面を表示するようにした。さらに、レーベル印刷済みであるか否かを判別し、レーベル印刷済みである場合は、ディスクが既にレーベル印刷されている旨の警告画面を表示するようにした。これにより、印刷できないディスクに誤って印刷してしまうことを防止することができるため、ディスクやプリンタが故障してしまうことを防止することができる。
【００３５】
（第２の実施形態）
本実施形態では、レーベル印刷できないディスクがディスクドライブに装着されているときに、レーベル印刷画面を表示しないようにすることにより、レーベル印刷できないことを利用者に示す方法について説明する。なお、本実施形態のデジタルビデオカメラの機能構成、及びディスクドライブに装着されたディスクが印刷可能であるか否かを判別する方法については第１の実施形態と同様であるため、説明は省略する。
【００３６】
図２は、本実施形態におけるメニュー画面の一例を示す図であり、図３は、本実施形態において、メニュー画面を表示する手順の一例を示すフローチャートである。なお、図３に示す各ステップは、マイコン１０２の制御によって行われる。
まず、図３のステップＳ３０１において、利用者のキー操作によりメニュー画面の表示をキーＩ／Ｆ１０６を介して指示されたか否かを判断する。この判断の結果、メニュー画面の表示を指示されていない場合はそのまま待機し、メニュー画面の表示を指示された場合は、ステップＳ３０２に進む。
【００３７】
次に、ステップＳ３０２において、ＵＳＢ  Ｉ／Ｆ１０７を介してプリンタ１０８との接続が確立されているか否かを判断する。この判断の結果、プリンタ１０８との接続が確立されていない場合は、ステップＳ３０５に進む。そして、ステップＳ３０５において、レーベル印刷の設定画面への入り口となるメニュー項目「レーベル印刷」を含まないメニュー画面２０２をＬＣＤ／ラインアウト１１３を介してＬＣＤ１１７に表示し、処理を終了する。
【００３８】
一方、ステップＳ３０２の判断の結果、プリンタ１０８との接続が確立されている場合は、ステップＳ３０３に進む。そして、ディスクドライブ１１０に装着されているディスクが印刷可能であるか否かを、第１の実施形態で前述した（１）〜（４）のディスク判別方法のいずれかの方法を用いて確認する。
【００３９】
この確認の結果、印刷できないディスクである場合は、ステップＳ３０５に進む。一方、ステップＳ３０３の確認の結果、印刷可能なディスクである場合は、ステップＳ３０４に進む。そして、メニュー項目「レーベル印刷」を含むメニュー画面２０１をＬＣＤ／ラインアウト１１３を介してＬＣＤ１１７に表示し、処理を終了する。
【００４０】
なお、レーベル用印刷データの生成処理及びプリンタ１０８への転送処理については、第１の実施形態の図５のステップＳ５０８〜Ｓ５１２までの処理と同様であるため、説明は省略する。
【００４１】
以上のように本実施形態においては、ディスクドライブ１１０に装着されているディスクが印刷可能であるか否かを判別し、印刷可能でない場合は、メニュー項目「レーベル印刷」を含まないメニュー画面２０２を表示するようにした。これにより、印刷できないディスクに誤って印刷してしまうことを防止することができるため、ディスクやプリンタが故障してしまうことを防止することができる。
【００４２】
（第３の実施形態）
本実施形態では、レーベル印刷できないディスクがディスクドライブに装着されているときに、印刷を続行するか否かを利用者に問い合わせることにより、レーベル印刷できないことを利用者に示す方法について説明する。なお、本実施形態のデジタルビデオカメラの機能構成、及びディスクドライブに装着されたディスクが印刷可能であるか否かを判別する方法については第１の実施形態と同様であるため、説明は省略する。
【００４３】
図６は、本実施形態におけるレーベル印刷の確認画面の一例を示す図であり、図７は、本実施形態において、ダイレクトレーベルプリントを行うまでの処理手順の一例を示すフローチャートである。なお、図７に示す各ステップは、マイコン１０２の制御によって行われる。また、ディスクの状態に関わらずメニュー項目「レーベル印刷」を含むメニュー画面６０１が表示されるものとする。
【００４４】
まず、図７のステップＳ７０１において、利用者によりメニュー画面６０１で項目「レーベル印刷」が選択されることにより処理を開始する。次に、ステップＳ７０２において、ディスクドライブ１１０に装着されているディスクが印刷可能であるか否かを、第１の実施形態で前述した（１）〜（４）のディスク判別方法のいずれかを用いて判別する。
【００４５】
この判別の結果、ディスクが印刷不可である場合は、レーベル印刷を本当に行うのか否かを確認する画面（例えば、図６に示すような「このディスクにはレーベル印刷できません。続行しますか？  はい／いいえ」という表示）をＬＣＤ１１７に表示する。具体的にはマイコン１０２は確認手段として機能し、レーベル印刷を本当に行うのか否かを確認する画面をＬＣＤ／ラインアウト１１３を介してＬＣＤ１１７に表示する。そして、利用者のキー操作によりレーベル印刷の続行をキーＩ／Ｆ１０６を介して指示されたか否かを判断する。
【００４６】
この判断の結果、レーベル印刷の中断を指示された場合は、ステップＳ７１１に進み、印刷設定を中断して、処理を終了する。一方、ステップＳ７０３の判断の結果、レーベル印刷の続行を指示された場合は、ステップＳ７０４に進む。また、ステップＳ７０２の判断の結果、ディスクが印刷可能である場合も、ステップＳ７０４に進む。
【００４７】
次に、ステップＳ７０４において、マイコン１０２は印刷データ生成手段として機能し、ディスクに記録されている映像データを元にレーベル用印刷データを作成してＲＡＭ１０４上に保存する。この時、例えば、図８に示すようなレーベル画像を印刷するための設定を、利用者の操作に応じてマイコン１０２が行う。そして、ステップＳ７０５において、ディスクが印刷可能であるか否かを再度確認する。この確認の結果、ディスクが印刷可能である場合は、ステップＳ７０６に進む。そして、ディスクをプリンタ１０８にセットすることを促す案内（例えば、「ディスクを取り出してプリンタにセットしてください」など）をＬＣＤ１１７に表示する。
【００４８】
一方、ステップＳ７０５の確認の結果、ディスクが印刷不可である場合は、ステップＳ７０７に進む。そして、ディスクドライブ１１０に装着されているディスクとは異なる別のディスクに印刷するしかないため、印刷可能なディスクをセットすることを促す表示（例えば、「印刷可能なディスクをプリンタにセットしてください」など）を行う。
【００４９】
次に、ステップＳ７０８において、利用者のキー操作によりレーベル用印刷データをプリンタ１０８へ転送することをキーＩ／Ｆ１０６を介して指示されたか否かを判断する。この判断の結果、レーベル用印刷データを転送することを指示されていない場合はそのまま待機し、レーベル用印刷データを転送することを指示された場合は、ステップＳ７０９に進む。
【００５０】
次に、ステップＳ７０９において、ＲＡＭ１０４上に保存されたレーベル用印刷データをＵＳＢ  Ｉ／Ｆ１０７を介してプリンタ１０８へ転送を開始する。そして、ステップＳ７１０において、レーベル用印刷データの転送が終了したか否かを判断する。この判断の結果、転送が終了していない場合は転送が終了するまで待機し、転送が終了した場合は、ステップＳ７１１において、処理を終了する。
【００５１】
これにより、印刷可能なディスクを利用者がプリンタ１０８へセットしたときにレーベル用印刷データの転送が終わっている場合は、プリンタ１０８側でディスクのレーベル印刷を開始する。
【００５２】
以上のように本実施形態においては、ディスクドライブ１１０に装着されているディスクが印刷可能であるか否かを判別し、印刷可能でない場合は、レーベル印刷を本当に行うのか否かを利用者に対して確認する表示を行うようにした。これにより、印刷できないディスクに誤って印刷してしまうことを防止することができるため、ディスクやプリンタが故障してしまうことを防止することができる。
【００５３】
（第４の実施形態）
第１〜第３の実施形態では、ディスクドライブ１１０に装着されたディスクが印刷可能であるか否かを判別して利用者に知らせる方法について説明した。一方、必要なデータをＲＡＭ上に作成する前に誤ってディスクをイジェクトする操作がなされてしまうと、印刷データが破棄されてしまったり、再度ディスクの挿入を必要とする場合があったりした。そこで本実施形態では、印刷データの作成が完了するまでディスクを取り出し可能な状態にする（イジェクトする）ことを禁止する例について説明する。
【００５４】
なお、本実施形態のデジタルビデオカメラの機能構成、ディスクドライブに装着されたディスクが印刷可能であるか否かを判別する方法、及びレーベル印刷できないことを利用者に示す方法については第１及び第２の実施形態と同様であるため、説明は省略する。
【００５５】
図９は、本実施形態において、印刷可能なディスクにダイレクトレーベルプリントを行うまでの処理手順の一例を示すフローチャートである。なお、図７に示す各ステップは、マイコン１０２の制御によって行われる。
まず、図９のステップＳ９０１において、第１の実施形態で説明した（１）〜（４）のディスク判別方法の何れかを用いて印刷可能と判別されることにより、レーベル印刷設定処理を開始する。
【００５６】
次に、ステップＳ９０２において、マイコン１０２は禁止手段として機能し、ディスクイジェクトスイッチ１１４からキーＩ／Ｆ１０６を介して入力される信号を無効にする設定を行い、ディスクのイジェクトを禁止する。次に、ステップＳ９０３において、マイコン１０２は、例えば、図８に示すようなレーベル画像を印刷するために、画面のユーザーインターフェイスに従って利用者の操作に応じて、動画像や静止画像を選択してレーベル画像の構成を設定する。
【００５７】
次に、ステップＳ９０４において、マイコン１０２は印刷データ生成手段として機能し、ステップＳ９０３で設定された構成でレーベル用印刷データを作成するために、ディスクから読み出した画像データを加工して、ＲＡＭ１０４上に保存する。そして、ステップＳ９０５において、レーベル用印刷データの作成が終了したか否かを判断する。この判断の結果、終了していない場合は終了するまで待機し、終了した場合は、ステップＳ９０６に進む。
【００５８】
次に、ステップＳ９０６において、マイコン１０２は、ディスクイジェクトスイッチ１１４からキーＩ／Ｆ１０６を介して入力される信号を無効にする設定を解除し、ディスクのイジェクトの禁止を解除する。なお、本実施形態では、レーベル用印刷データの生成が終了した時点でイジェクトの禁止を解除しているが、ディスクから映像データ等を読み出す処理が完了した時点で、イジェクトの禁止を解除してもよい。
【００５９】
そして、ステップＳ９０７において、ディスクをプリンタ１０８にセットすることを促す案内（例えば、「ディスクを取り出してプリンタにセットしてください」など）をＬＣＤ１１７に表示する。なお、案内を表示した時に、マイコン１０２の制御により、ディスクをイジェクトするようにしてもよい。
【００６０】
次に、ステップＳ９０８において、利用者のキー操作によりレーベル用印刷データをプリンタ１０８へ転送することをキーＩ／Ｆ１０６を介して指示されたか否かを判断する。この判断の結果、レーベル用印刷データを転送することを指示されていない場合はそのまま待機し、レーベル用印刷データを転送することを指示された場合は、ステップＳ９０９に進む。
【００６１】
次に、ステップＳ９０９において、ＲＡＭ１０４上に保存されたレーベル用印刷データをＵＳＢ  Ｉ／Ｆ１０７を介してプリンタ１０８へ転送を開始する。そして、ステップＳ９１０において、レーベル用印刷データの転送が終了したか否かを判断する。この判断の結果、転送が終了していない場合は転送が終了するまで待機し、転送が終了した場合は、ステップＳ９１１において、処理を終了する。
【００６２】
これにより、ディスクドライブ１１０に装着されていたディスクを利用者がプリンタ１０８へセットしたときにレーベル用印刷データの転送が終わっている場合は、プリンタ１０８側でディスクのレーベル印刷を開始する。
【００６３】
以上のように本実施形態においては、利用者の誤操作を防止することができるため、誤ってディスクのイジェクト操作が行われて印刷情報が破棄されることがなくなり、レーベル印刷の利便性を高めることができる。
【００６４】
（本発明に係る他の実施形態）
第１〜第４の実施形態では、デジタルビデオカメラ１００からプリンタ１０８にレーベル用印刷データを転送してレーベル印刷を行う例について説明したが、デジタルビデオカメラとプリンタとが一体となった装置に本発明を適用してもよい。この場合、レーベル用印刷データを作成した後に、ディスクをプリンタにセットする必要がなく、さらにはレーベル用印刷データの転送も不要である。すなわち、レーベル用印刷データを作成した後に、印刷指示を行うことにより、レーベル画像をディスクに印刷することができる。また、第４の実施形態で説明したように、ディスクのイジェクトを禁止する場合は、印刷処理が終了するまでディスクのイジェクトを禁止するようにする。
【００６５】
前述した本発明の実施形態における再生装置、印刷装置及び撮像装置を構成する各手段、並びに再生装置の制御方法及び印刷装置の制御方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００６６】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００６７】
なお、本発明は、前述した実施形態の機能を実現するソフトウェアのプログラム（実施形態では図３、５、７、９に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００６８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６９】
その場合、プログラムの機能を有していれば、オブジェクトコード、インタプリタにより実行されるプログラム、ＯＳに供給するスクリプトデータ等の形態であってもよい。
【００７０】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００７１】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００７２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７３】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７４】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７５】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７６】
【図１】本発明の第１の実施形態に係るデジタルビデオカメラの構成例を示すブロック図である。
【図２】本発明の第２の実施形態において、印刷不可のディスクが装着されている時にレーベル印刷画面へ入れないようにしたときの画面遷移を示す図である。
【図３】本発明の第２の実施形態において、メニュー画面を表示する手順の一例を示すフローチャートである。
【図４】本発明の第１の実施形態において、印刷不可のディスクが装着されている時の画面遷移を示す図である。
【図５】本発明の第１の実施形態において、ダイレクトレーベルプリントを行うまでの処理手順の一例を示すフローチャートである。
【図６】本発明の第３の実施形態において、印刷不可のディスクが装着されている時に印刷を続行するか否かを利用者に問い合わせるときの画面遷移を示す図である。
【図７】本発明の第３の実施形態において、ダイレクトレーベルプリントを行うまでの処理手順の一例を示すフローチャートである。
【図８】本発明の第１の実施形態において、ディスクに印刷するレーベル画像の一例を示す図である。
【図９】本発明の第４の実施形態において、ディスクのイジェクトを禁止してダイレクトレーベルプリントを行うまでの処理手順の一例を示すフローチャートである。
【符号の説明】
【００７７】
１００  デジタルビデオカメラ
１０１  デコーダ
１０２  マイコン
１０３  FlashROM
１０４  ＲＡＭ
１０５  ビットマップメモリ
１０６  キーＩ／Ｆ
１０７  ＵＳＢ  Ｉ／Ｆ
１０８  プリンタ
１０９  ディスクＩ／Ｏ
１１０  ディスクドライブ
１１１  サーフェススキャナ
１１２  ビットマップ回路
１１３  ＬＣＤ／ラインアウト
１１４  ディスクイジェクトスイッチ
１１５  カメラ部
１１６  エンコーダ
１１７  ＬＣＤ
【図１】
2009100038.tif 000003
【図２】
2009100038.tif 000004
【図３】
2009100038.tif 000005
【図４】
2009100038.tif 000006
【図５】
2009100038.tif 000007
【図６】
2009100038.tif 000008
【図７】
2009100038.tif 000009
【図８】
2009100038.tif 000010
【図９】
2009100038.tif 000011